(57)【特許請求の範囲】
【請求項１】
家具の天板と部屋の天井との隙間に設置される家具転倒防止装置であって、
家具の天板上に載置される下板と、
前記下板と相対して配置され、部屋の天井に当接するように設置される上板と、
前記下板と前記上板との間に設置される一対の支持柱であって、当該下板及び当該上板の両端寄りの位置に設置される垂直方向に伸縮可能な一対の支持柱と、
を備える家具転倒防止装置において、
前記下板の下面と家具の天板との間の摩擦力が、前記上板の上面と部屋の天井との間の摩擦力より大きく、
前記上板は、部屋の天井に当接した状態で水平方向に滑ることが可能なように構成されている、家具転倒防止装置。
【請求項２】
請求項１記載の家具転倒防止装置において、
前記下板の前記下面には、家具の天板の上面に密着されることで粘着力を発揮する粘着マットが設けられている、家具転倒防止装置。
【請求項３】
請求項２記載の家具転倒防止装置において、
前記粘着マットは、アクリル製の吸着テープによって形成されている、家具転倒防止装置。
【請求項４】
家具の天板と部屋の天井との隙間に設置される家具転倒防止装置であって、
家具の天板上に載置される下板と、
前記下板と相対して配置され、部屋の天井に当接するように設置される上板と、
前記下板と前記上板との間に設置される一対の支持柱であって、当該下板及び当該上板の両端寄りの位置に設置される垂直方向に伸縮可能な一対の支持柱と、
を備える家具転倒防止装置において、
前記一対の支持柱の各々は、
外周面に雄ネジ部が刻設され、前記上板と前記下板のいずれか一方に取り付けられるネジ軸と、
前記ネジ軸と垂直方向に摺動可能な状態で嵌合する所定深さの穴部を有し、前記上板と前記下板の他方に取り付けられる支持筒体と、
前記ネジ軸の前記雄ネジ部と螺合する雌ネジ部を備え、前記ネジ軸に対して締め付けられるとき前記支持柱を伸長させる固定ナットと、
を具備しており、
前記一対の支持柱の各々には、弾性変形可能なクッションスペーサが設けられ、
前記固定ナットを前記ネジ軸に対して締め付けて前記クッションスペーサが弾性変形して当該固定ナットの過剰な締め付けを防止するときに前記支持柱が伸長して前記上板が天井に対して所望の押し付け力を発揮するように、当該クッションスペーサの高さは、当該固定ナットに形成されている収容空間の高さよりも所定量高くなるように設定されている、家具転倒防止装置。
【請求項５】
請求項４記載の家具転倒防止装置において、
前記クッションスペーサは、軸方向に沿って延びるスリットを全長に亘って形成したＣ型断面のすり割り付き筒状部材によって構成されている、家具転倒防止装置。
【請求項６】
請求項４記載の家具転倒防止装置において、
前記クッションスペーサの上下には、所定厚さの樹脂ワッシャが設けられている、家具転倒防止装置。
【請求項７】
請求項１または４に記載の家具転倒防止装置において、
前記下板には、家具の背板の背面の上部に引っ掛けて家具の前方に飛び出るのを防ぐ、家具の奥行き方向に伸縮可能な背面ストッパが設けられている、家具転倒防止装置。
【発明の詳細な説明】
【技術分野】
【０００１】
本発明は、地震等の揺れで家具が大きく傾いて転倒するのを防止する家具転倒防止装置に関し、特に家具の天板と部屋の天井との隙間に設置される伸縮式の支持柱を備える家具転倒防止装置に係るものである。
【背景技術】
【０００２】
洋服タンスや食器棚あるいは本棚等の背丈の高い家具の場合には、地震等の揺れで家具が大きく傾いて転倒するおそれがあるため、従来から転倒防止装置が製品に付属する形で、あるいは家具の設置後、後付けする形で使用されている。このような転倒防止装置の中には、家具の本体部の天板と部屋の天井との間に伸縮式の突っ張り棒を設置する下記特許文献１に開示されているような弾性伸縮棒がある。
【０００３】
また、上記伸縮式の突っ張り棒を左右に離間配置し、その上下に天井に当接する上板と家具の天板上に載置される下板とを備える下記特許文献２に開示されているような家具類の転倒防止具も開発されている。特許文献２に開示されている家具類の転倒防止具は、天井と家具の天板に接触する面積が前記特許文献１に開示されている弾性伸縮棒に比べて格段に広くなっており、より大きな荷重に耐えられる構造になっている。
【０００４】
更に、特許文献２に開示されている家具類の転倒防止具の上板の上面と下板の下面には、クッション材が取り付けられていて、該クッション材によって地震等の揺れによって生ずる上板と下板の水平方向の滑りを防止すると共に、垂直方向にかかる衝撃を吸収するようにしている。
【先行技術文献】
【特許文献】
【０００５】
【特許文献１】特開２００１−１１２５６１号公報
【特許文献２】実用新案登録第３１２２２８０号公報
【発明の概要】
【発明が解決しようとする課題】
【０００６】
しかし、上記特許文献２のように伸縮式の支持柱で支える上板の上面と下板の下面の両方に滑り防止部材を設けると、地震等の揺れによって、天井と家具の天板との相対位置が水平方向に大きくずれた時、水平方向の力に弱い支持柱に応力が集中して支持柱が破壊する恐れがある。
【０００７】
また、特許文献２に開示の家具類の転倒防止具は、伸縮自在の支持柱を開示しているものの、天井に対して上板（またはクッション材）が押し付ける構成を開示していない。
【０００８】
そこで、本発明が解決しようとする課題は、地震等の揺れが発生した時の初期段階で起こる、支持柱に水平方向の力が作用することによって生ずる応力集中を回避して支持柱の破壊を防止する家具転倒防止装置を提供することである。
【課題を解決するための手段】
【０００９】
上記課題を解決するために、本発明の請求項１記載の家具転倒防止装置は、家具の天板と部屋の天井との隙間に設置される家具転倒防止装置であって、家具の天板上に載置される下板と、下板と相対して配置され、部屋の天井に当接するように設置される上板と、下板と上板との間に設置される一対の支持柱であって、下板及び上板の両端寄りの位置に設置される垂直方向に伸縮可能な一対の支持柱とを備え、下板の下面と家具の天板との間の摩擦力が、上板の上面と部屋の天井との間の摩擦力より大きいことを特徴とする。
【００１０】
本発明の請求項２記載の家具転倒防止装置は、請求項１記載の家具転倒防止装置において、下板の下面には、家具の天板の上面に密着されることで粘着力を発揮する粘着マットが設けられていることを特徴とする。
【００１１】
本発明の請求項３記載の家具転倒防止装置は、請求項２記載の家具転倒防止装置において、粘着マットは、アクリル製の吸着テープによって形成されていることを特徴とする。
【００１２】
本発明の請求項４記載の家具転倒防止装置は、請求項１乃至３のいずれか１項に記載の家具転倒防止装置において、上板は、部屋の天井に当接した状態で水平方向に滑ることが可能なように構成されていることを特徴とする。
【００１３】
本発明の請求項５記載の家具転倒防止装置は、家具の天板と部屋の天井との隙間に設置される家具転倒防止装置であって、家具の天板上に載置される下板と、下板と相対して配置され、部屋の天井に当接するように設置される上板と、下板と上板との間に設置される一対の支持柱であって、下板及び上板の両端寄りの位置に設置される垂直方向に伸縮可能な一対の支持柱とを備え、一対の支持柱の各々は、外周面に雄ネジ部が刻設され、上板と下板のいずれか一方に取り付けられるネジ軸と、ネジ軸と垂直方向に摺動可能な状態で嵌合する所定深さの穴部を有し、上板と下板の他方に取り付けられる支持筒体と、ネジ軸の雄ネジ部と螺合する雌ネジ部を備え、ネジ軸に対して締め付けられるとき支持柱を伸長させる固定ナットと、を具備しており、一対の支持柱の各々には、弾性変形可能なクッションスペーサが設けられ、固定ナットをネジ軸に対して締め付けてクッションスペーサが弾性変形して固定ナットの過剰な締め付けを防止するときに支持柱が伸長して上板が天井に対して所望の押し付け力を発揮するように、クッションスペーサの高さは、固定ナットに形成されている収容空間の高さよりも所定量高くなるように設定されていることを特徴とする。
【００１４】
本発明の請求項６記載の家具転倒防止装置は、請求項５記載の家具転倒防止装置において、クッションスペーサは、弾性変形可能な筒体部材であって、軸方向に沿って延びるスリットを全長に亘って形成したＣ型断面のすり割り付き筒状部材によって構成されていることを特徴とする。
【００１５】
本発明の請求項７記載の家具転倒防止装置は、請求項５記載の家具転倒防止装置において、クッションスペーサの上下には、所定厚さの樹脂ワッシャが設けられていることを特徴とする。
【００１６】
本発明の請求項８記載の家具転倒防止装置は、請求項１または５に記載の家具転倒防止装置において、下板には、家具の背板の背面の上部に引っ掛けて家具の前方に飛び出るのを防ぐ、家具の奥行き方向に伸縮可能な背面ストッパが設けられていることを特徴とする。
【発明の効果】
【００１７】
本発明の家具転倒防止装置の第１の態様によれば、粘着マットは家具の天板の上面に接触する下板の下面のみに設けられていて、部屋の天井には上板が直接当接される構成が採用されている。下板の下面と家具の天板との間の摩擦力が、上板の上面と部屋の天井との間の摩擦力より大きいので、地震等の揺れによって天井と家具の天板との相対位置が水平方向に大きくずれた場合、上板は初期の段階では天井から大きな規制を受けることなく家具の天板の移動方向に移動することが可能になっており、支持柱の破壊をもたらすような応力集中が支持柱にかからない。また、水平方向の揺れの二次段階では、支持柱を挟んでその上下に位置する上板と下板とによって突っ張られた状態で家具の天板と部屋の天井との隙間が塞がれるから、家具前方への転倒が防止される。
【００１８】
また、前記第１の態様において、前記粘着マットをアクリル製の吸着テープによって形成した場合には、地震等の揺れが発生した時の下板と家具の天板との間の滑りや傾きによる位置のずれが確実に防止され、所望の家具の転倒防止作用が発揮されるようになる。
【００１９】
また、前記第１の態様において、上述した地震等の揺れの初期段階での上板の水平方向への移動が円滑に行われるようになり、前記支持柱にかかる応力集中を確実に防止することができる。
【００２０】
本発明の家具転倒防止装置の第２の態様によれば、クッションスペーサを所定の高さに設定することで、固定ナットをネジ軸に対して締め付けるとき、クッションスペーサが弾性変形して固定ナットの過剰な締め付けを防止すると同時に、支持柱が伸長して上板が天井に対して所望の押し付け力を発揮する。
【００２１】
また、前記第２の態様において、左右の支持柱の各々に弾性変形可能なクッションスペーサが圧縮状態で収容されることで、クッションスペーサが元の形状に戻ろうとする膨張方向の力によって固定ナットの緩みを防止する効果も得られるようになる。
【００２２】
更に、前記第２の態様において、前記クッションスペーサを筒体の一部に軸方向に沿って延びるスリットを全長に亘って形成した、Ｃ型断面のすり割り付き筒状部材によって構成した場合には、前記ネジ軸に対してネジ軸の軸方向と交差する横断面方向からのクッションスペーサの装着が可能になってクッションスペーサの組み付けや交換を容易にすることができる。
【００２３】
更にまた、前記第２の態様において、前記クッションスペーサの上下に所定厚さの樹脂ワッシャを設けた場合には、固定ナットを締め付けることによって生ずるクッションスペーサの上端と下端での捩りを防止し、クッションスペーサの上端と下端の滑りを向上させることができる。
【００２４】
また、前記第１の態様または第２の態様において、家具の背板の背面の上部に引っ掛けた状態で取り付けられる背面ストッパを設けた場合には、地震等の揺れによって家具転倒防止装置が家具の前方に飛び出るのを防ぐことが可能になる。
【図面の簡単な説明】
【００２５】
【図１】本発明の実施の形態を示す図で、家具転倒防止装置を適用した家具の据付け状態を示す正面図である。
【図２】本発明の実施の形態を示す図で、家具転倒防止装置を適用した家具の据付け状態を示す側断面図である。
【図３】本発明の実施の形態を示す図で、家具転倒防止装置を示す正面図である。
【図４】本発明の実施の形態を示す図で、家具転倒防止装置を示す側断面図である。
【図５】本発明の実施の形態を示す図で、クッションスペーサの装着の様子を示す分解斜視図である。
【図６】本発明の実施の形態を示す図で、家具転倒防止装置の設置手順を段階的（ａ）〜（ｄ）に示す説明図である。
【図７】本発明の実施の形態を示す図で、家具転倒防止装置に水平方向前方への揺れが作用した時の初期段階の作動態様（ａ）と、二次段階の作動態様（ｂ）と、家具転倒防止装置に水平方向後方への揺れが作用した時の作動態様（ｃ）と、家具転倒防止装置に垂直方向の揺れが作用した時の作動態様（ｄ）とを示す説明図である。
【発明を実施するための形態】
【００２６】
以下、本発明に係る家具転倒防止装置の構成と、その設置手順及び作動態様について図１〜７に示す実施の形態を例にとって具体的に説明する。
【００２７】
本発明の家具転倒防止装置１は、収納物Ａを収納したり、載置物Ｂを載置する本体部３と、本体部３下方の床面５との間に配置されて本体部３を支承する台輪７とを備えた図１及び図２に示すような、箱物の家具９（図示の実施の形態では一例として幅が９００ｍｍ、奥行きが４５０ｍｍ、高さが２２００ｍｍの家具９を想定して図示している。）に対して適用される。
【００２８】
また、図示の家具９は、天板１１と、底板１２と、左右の側板１３、１４と、背板１５と、複数の棚板１６と、扉１７と、引出し１９とを備えた本体部３を有しており、本体部３の下方の床面５との間に一例として４枚の枠板２１を矩形枠状に配置して組み合せた内寸の高さが一例として７０ｍｍ程度の台輪７とを有している。そして、本発明の家具転倒防止装置１は、家具９の天板１１の上面と部屋の天井４との隙間Ｓ（例えば床面５から天井４までの高さを２５００ｍｍ、家具９の高さを２２００ｍｍとした場合には、隙間Ｓは３００ｍｍになる。）を埋めるようにして設置される。
【００２９】
（１）家具転倒防止装置の構成（図１〜５参照）
このような家具９に対して適用される本発明の家具転倒防止装置１は、家具９の天板１１上に載置される下板３１と、下板と相対して配置され部屋の天井４に当接するように設置される上板３２と、下板３１と上板３２との間の左右両端寄りの位置に設置される垂直方向Ｚに伸縮可能な一対の支持柱３３とを備えることによって基本的骨格が形成されており、更に下板３１の下面には、家具９の天板１１の上面に密着されることで粘着力を発揮する粘着マット３５が配置されている。
【００３０】
本実施の形態では、幅が８７０ｍｍ、奥行きが２４０ｍｍ、厚さが１０ｍｍ〜２０ｍｍ程度の合成樹脂製の下板３１と上板３２とを使用しており、上板３２の下面には、後述する支持柱３３の構成部材であるネジ軸４１を取り付けるためのネジ穴３２ａが左右両端寄りの奥行き方向Ｙの中央部に２個刻設されている。一方、下板３１の上面には、後述する支持柱３３の構成部材である支持筒体４３を取り付けるためのネジ軸３１ａが左右両端寄りの奥行き方向Ｙの中央部に２本突設されている。
【００３１】
また、下板３１の下面の四隅のコーナー部に一例として矩形状をした長さ約５０ｍｍ幅３０ｍｍ程度の大きさの粘着マット３５が４枚貼設されている。粘着マット３５としては、０．４ｍｍ厚程度のアクリル製の吸着テープが使用でき、本実施の形態では一例として株式会社ニトムズ製造の「吸着カーペットテープ３０」の品番Ｔ２６８を使用した。また、ウレタン製またはスチレン製の粘着シートも使用できる。
【００３２】
上板３２は、部屋の天井４に当接した状態で水平方向に自由に移動できるように構成されていることが好適な条件となり、このような特性を有する材質や表面処理あるいは構造が上板３２には施されている。具体的には、上板の上面と部屋の天井との間の摩擦力が、下板の下面に貼られた粘着マット３５と家具の天板との間の摩擦力より小さくなるように構成されている。
【００３３】
支持柱３３は、上板３２のネジ穴３２ａに取り付けられる外周面に雄ネジ部４１ａが刻設されたネジ軸４１と、下板３２に突設されているネジ軸３１ａと螺合する雌ネジ部４３ａと、ネジ軸４１と垂直方向Ｚに摺動可能な状態で嵌合する所定深さの穴部４３ｂとを有する支持筒体４３と、弾性変形可能な材料で構成された所定高さＨ１のクッションスペーサ４５と、ネジ軸４１の雄ネジ部４１ａと螺合する雌ネジ部４７ａとクッションスペーサ４５の収容空間４７ｂとを備え、ネジ軸４１に対して締め付けられることで支持柱３３の突っ張り高さＨ０を設定する固定ナット４７とを具備することによって基本的に構成されている。
【００３４】
このうちネジ軸４１は、上板３２を支えて上板３２と一体になって垂直方向Ｚに上下動する一例として金属製の太径の長尺な軸体であり、その外周面には上述したように固定ナット４７の雌ネジ部４７ａに螺合する雄ネジ部４１ａが刻設されている。また、ネジ軸４１の上板３２との取付け端には、上板３２のネジ穴３２ａにネジ軸４１を取り付ける場合に指で掴んだり締付け工具を使用して締め付ける場合に操作するフランジ付きの操作部４２が取り付けられている。
【００３５】
支持筒体４３は、下板３１と一体になってネジ軸４１を支持する一例として金属製の円筒状の長尺な筒体であり、その中心に軸方向となる垂直方向Ｚに延びる穴部４３ｂが支持筒体４３の上面から所定深さに亘って刻設されており、同じく軸方向となる垂直方向Ｚに沿って上述した雌ネジ部４３ａが支持筒体４３の下面から所定深さに亘って刻設されている。
【００３６】
クッションスペーサ４５は、円筒体の一部に、軸方向となる垂直方向Ｚに沿って延びるスリット４５ａを、全長に亘って形成したＣ型断面のすり割り付き筒状部材によって構成されており、図５に示すようにネジ軸４１にスリット４５ａを向けて側方からクッションスペーサ４５を押し込むようにして取り付けられている。クッションスペーサ４５の材質には、一例としてシリコーン樹脂が採用でき、クッションスペーサ４５の高さＨ１は、固定ナット４７に形成されているクッションスペーサ４５の収容空間４７ｂの高さＨ２よりも所定量高くなるように設定されている。具体的には、本実施の形態では、クッションスペーサ４５の高さＨ１を、固定ナット４７の収容空間４７ｂの高さＨ２＝３０ｍｍ〜５０ｍｍよりも一例として１．５ｍｍ〜２ｍｍ程度高いＨ１＝３１．５ｍｍ〜５１．５ｍｍまたはＨ１＝３２ｍｍ〜５２ｍｍに設定している。これにより、固定ナット４７をネジ軸４１に対して締め付けるとき、クッションスペーサ４５が弾性変形して固定ナット４７の締め付け過ぎを防止し、支持柱３３を伸長させて天井４に対して上板３２を所望の押し付け力で押し付ける。
【００３７】
また、本実施の形態では、クッションスペーサ４５の上下に所定厚さ（例えば０．５ｍｍ厚）の樹脂ワッシャ４９が設けられており、この樹脂ワッシャ４９によってクッションスペーサ４５の上下端の円滑な滑りを確保している。樹脂ワッシャ４９の材質には、例えばジュラコンが好ましく用いられる。
【００３８】
更に、本実施の形態では、下板３１の後端寄りの左右（前記ネジ軸３１ａよりも一例として内側の位置）に背面ストッパ５１を取り付けるためのネジ孔３１ｂが刻設されており、家具９の背板１５の背面の上部に引っ掛けて、家具転倒防止装置１が家具９の前方に飛び出すのを防ぐ、家具９の奥行き方向Ｙに伸縮可能な背面ストッパ５１が設けられている。
【００３９】
背面ストッパ５１は、一例として金属製のＬ形に折り曲げられた薄板材料によって形成されており、背面ストッパ５１の下板３１の上面と摺接する水平部には、背面ストッパ５１の前後方向への位置調整を可能にする長穴５１ａが形成されている。
【００４０】
そして、背面ストッパ５１の上方から長穴５１ａに固定ネジ５３を挿入して下板３１の上面に刻設されているネジ孔３１ｂに対して螺合させることによって背面ストッパ５１の背面側への突出量を調整して背面ストッパ５１を下板３１の上面に固定できるように構成されている。
【００４１】
また、このようにして構成される家具転倒防止装置１は、本実施の形態では図１及び図２に示すように家具９の天板１１上の左右に一組が設置されており、家具転倒防止装置１における下板３１の外方端縁が家具９の天板１１の左右端縁から一例として１５ｍｍ程度内側の位置にするように設置されている。また、家具転倒防止装置１における下板３１の後端位置は、家具９の天板１１の後端とほぼ面一になる位置に設定されている。
【００４２】
（２）家具転倒防止装置の設置手順（図６参照）
次に、このようにして構成される本実施の形態に係る家具転倒防止装置１を家具９の天板１１と部屋の天井４との間の隙間Ｓに設置する場合の設置手順について説明する。
【００４３】
（Ａ）上板と支持柱の取り付け（図６（ａ）参照）
最初に、机やテーブルあるいは床面５上に、上板３２を下面を上にして載置し、上板３２の左右両端部に刻設されているネジ穴３２ａに対して支持柱３３を取り付ける。具体的には、ネジ軸４１の先端部寄りに設けられている操作部４２を持って、ネジ穴３２ａにネジ軸４１の先端部を挿入し、操作部４２を所定の方向にいっぱいになるまで回して締め付ける。尚、予めネジ軸４１は、支持筒体４３の穴部４３ｂにいっぱいに挿入した収縮状態にし、固定ナット４７を使用して締め付けて固定しておく。
【００４４】
（Ｂ）下板と支持柱の取り付け（図６（ｂ）参照）
次に、机やテーブルあるいは床面５上に、下板３１を上面を上にして載置し、支持柱３３が取り付けられた上板３２を裏返して上方から下板３１の左右両端部に突設されているネジ軸３１ａに対して、支持柱３３下端の支持筒体４３の雌ネジ部４３ａを位置合わせして挿入する。そして、支持筒体４３を握って、支持筒体４３を所定の方向にいっぱいになるまで回して締め付けて行く。
【００４５】
（Ｃ）上板の突っ張り高さの調整と固定（図６（ｃ）参照）
次に、このようにして組み立てられた家具転倒防止装置１を家具９の天板１１上に持ち上げて、天板１１上の上述した所定の位置に粘着マット３５を下にして設置する。次に、左右の支持柱３３の固定ナット４７を緩め、上板３２の下面に手を当てて上方に上板３２を押し上げ、上板３２の上面が天井４の下面に当接した位置で固定ナット４７を締め付けて上板の突っ張り高さＨ０を固定する。
【００４６】
（Ｄ）背面ストッパの取り付け（図６（ｄ）参照）
次に、背面ストッパ５１を準備し、背面ストッパ５１の長穴５１ａを下板３１に刻設されているネジ孔３１ｂの位置に位置合わせし、上方から固定ネジ５３を長穴５１ａとネジ孔３１ｂに挿入して所定の方向に数回捩じ込む。次に、背面ストッパ５１の先端の下方に９０°折れ曲がった部分が家具９の背面に当接するまで引き出して固定ネジ５３をいっぱいに締め付ければ背面ストッパ５１が取り付けられ、家具等の転倒防止装置１の一連の設置作業が完了する。
【００４７】
（３）家具転倒防止装置の作動態様（図７参照）
次に、このようにして設置された本実施の形態に係る家具転倒防止装置１の作動態様を、（Ａ）水平方向前方への揺れが作用した時の初期段階の作動態様と、（Ｂ）水平方向前方への揺れが作用した時の二次段階の作動態様と、（Ｃ）水平方向後方への揺れが作用した時の作動態様と、（Ｄ）垂直方向の揺れが作用した時の作動態様の４段階の作動態様に分けて説明する。
【００４８】
（Ａ）水平方向前方への揺れが作用した時の初期段階の作動態様（図７（ａ）参照）
地震等の揺れによって家具９を水平方向前方Ｙ１に移動させるような力Ｆ１が家具転倒防止装置１に作用すると、初期段階では、上板３２の上面は、天井４の下面を滑って下板３１と支持柱３３と一体になって移動するから、支持柱３３を破壊に導くような応力集中が支持柱３３にかかることはない。下板３１の下面の粘着マット３５と家具９の天板１１との間の摩擦力が、上板３２の上面と天井４との間の摩擦力より大きいので、家具転倒防止装置１が家具９から落ちることはない。
【００４９】
（Ｂ）水平方向前方への揺れが作用した時の二次段階の作動態様（図７（ｂ）参照）
地震等の揺れによって家具９が台輪７の下面の前縁を支点として前方に傾く二次段階に移行すると、家具９の天板１１の後端部が上方に持ち上げられて、家具転倒防止装置１の上板３２の上面が部屋の天井４に押し付けられるため、家具９のそれ以上の傾きが防止されて家具９の転倒が防止される。
【００５０】
（Ｃ）水平方向後方への揺れが作用した時の作動態様（図７（ｃ）参照）
地震等の揺れによって家具９が水平方向後方Ｙ２に移動したり、家具９が台輪７の下面の後縁を支点として後方に傾くような力Ｆ２を受けると、部屋の壁面６に衝突して家具９の後方への移動と傾きが防止される。
【００５１】
（Ｄ）垂直方向の揺れが作用した時の作動態様（図７（ｄ）参照）
地震等の揺れによって家具９を垂直方向Ｚに移動させる力Ｆ３が家具転倒防止装置１に作用すると、垂直方向Ｚの力Ｆ３は、支持柱３３を介して家具９に伝達される。
【００５２】
そして、このようにして構成される本実施の形態に係る家具転倒防止装置１によれば、粘着マット３５を家具９の天板１１に密着して粘着力を発揮する下板３１の下面のみに設け、天井４に当接する上板３２の上面には粘着マット３５を設けていないから、支持柱３３に水平方向の力が作用することによって生ずる応力集中を回避して支持柱３３の破壊を防止することができる。
【００５３】
以上が本発明の基本的な実施の形態であるが、本発明の家具転倒防止装置１は前述した実施の形態に限定されるものではなく、本発明の要旨を逸脱しない範囲内の部分的構成の変更や省略、あるいは当業者において周知、慣用の技術を追加することが可能である。
【００５４】
例えば、前記下板３１の下面のみに粘着マット３５を設置する構成は、前記実施の形態で述べた構造の支持柱３３に限らず、既存のあるいはこれから開発される種々のタイプの支持柱を備える家具転倒防止装置１に適用することが可能である。
【００５５】
また、前記支持柱３３にクッションスペーサ４５を設置する構成は、前記実施の形態で述べた粘着マット３５の配置構造に限らず、種々の粘着マット３５の配置構造を採用する家具転倒防止装置１に適用することが可能である。
【００５６】
また、本発明で使用する粘着マット３５の材質、大きさ、厚さあるいは使用する個数と貼付位置は、前記実施の形態で述べた構成に限らず、家具９の大きさや家具９の天板１１と天井４との隙間Ｓの大きさの違い等に応じて適宜、変更することが可能である。
【００５７】
同様に、本発明で使用するクッションスペーサ４５の高さＨ１や径の大きさ、あるいは肉厚も支持柱３３の長さや径の大きさ、あるいは調整できる伸縮量等に応じて適宜、変更することが可能である。
【００５８】
また、本発明で使用する上板３２と下板３１の大きさと、家具転倒防止装置の設置個数や設置する位置も、家具９の大きさや形状等の違いに応じて適宜、変更することが可能である。
【００５９】
この他、本発明の家具転倒防止装置１は、単独ないし同一種類のものを並設する形で使用する他、構成を異にする他のタイプの家具転倒防止装置と併用する形で組み合わせて使用することが可能である。
〔態様１〕
家具の天板と部屋の天井との隙間に設置される家具転倒防止装置であって、
家具の天板上に載置される下板と、
前記下板と相対して配置され、部屋の天井に当接するように設置される上板と、
前記下板と前記上板との間に設置される一対の支持柱であって、当該下板及び当該上板の両端寄りの位置に設置される垂直方向に伸縮可能な一対の支持柱と、
を備える家具転倒防止装置において、
前記下板の下面と家具の天板との間の摩擦力が、前記上板の上面と部屋の天井との間の摩擦力より大きい、家具転倒防止装置。
〔態様２〕
態様１記載の家具転倒防止装置において、
前記下板の前記下面には、家具の天板の上面に密着されることで粘着力を発揮する粘着マットが設けられている、家具転倒防止装置。
〔態様３〕
態様２記載の家具転倒防止装置において、
前記粘着マットは、アクリル製の吸着テープによって形成されている、家具転倒防止装置。
〔態様４〕
態様１乃至３のいずれか１項に記載の家具転倒防止装置において、
前記上板は、部屋の天井に当接した状態で水平方向に滑ることが可能なように構成されている、家具転倒防止装置。
〔態様５〕
家具の天板と部屋の天井との隙間に設置される家具転倒防止装置であって、
家具の天板上に載置される下板と、
前記下板と相対して配置され、部屋の天井に当接するように設置される上板と、
前記下板と前記上板との間に設置される一対の支持柱であって、当該下板及び当該上板の両端寄りの位置に設置される垂直方向に伸縮可能な一対の支持柱と、
を備える家具転倒防止装置において、
前記一対の支持柱の各々は、
外周面に雄ネジ部が刻設され、前記上板と前記下板のいずれか一方に取り付けられるネジ軸と、
前記ネジ軸と垂直方向に摺動可能な状態で嵌合する所定深さの穴部を有し、前記上板と前記下板の他方に取り付けられる支持筒体と、
前記ネジ軸の前記雄ネジ部と螺合する雌ネジ部を備え、前記ネジ軸に対して締め付けられるとき前記支持柱を伸長させる固定ナットと、
を具備しており、
前記一対の支持柱の各々には、弾性変形可能なクッションスペーサが設けられ、
前記固定ナットを前記ネジ軸に対して締め付けて前記クッションスペーサが弾性変形して当該固定ナットの過剰な締め付けを防止するときに前記支持柱が伸長して前記上板が天井に対して所望の押し付け力を発揮するように、当該クッションスペーサの高さは、当該固定ナットに形成されている収容空間の高さよりも所定量高くなるように設定されている、家具転倒防止装置。
〔態様６〕
態様５記載の家具転倒防止装置において、
前記クッションスペーサは、軸方向に沿って延びるスリットを全長に亘って形成したＣ型断面のすり割り付き筒状部材によって構成されている、家具転倒防止装置。
〔態様７〕
態様５記載の家具転倒防止装置において、
前記クッションスペーサの上下には、所定厚さの樹脂ワッシャが設けられている、家具転倒防止装置。
〔態様８〕
態様１または５に記載の家具転倒防止装置において、
前記下板には、家具の背板の背面の上部に引っ掛けて家具の前方に飛び出るのを防ぐ、家具の奥行き方向に伸縮可能な背面ストッパが設けられている、家具転倒防止装置。
【産業上の利用可能性】
【００６０】
本発明は、地震等の揺れで家具が大きく傾いて転倒するのを防止する突っ張り棒タイプの家具転倒防止装置の製造、使用分野等で利用でき、特に地震等の揺れが発生した時の初期段階で起こる支持柱に作用する応力集中を回避して支持柱の破壊を防止したい場合と、支持柱にかかる垂直方向の力に対する緩衝力を向上させたい場合に利用可能性を有する。
【符号の説明】
【００６１】
１：家具転倒防止装置、３：本体部、４：天井、５：床面、６：壁面、７：台輪、９：家具、１１：天板、１２：底板、１３：左側板、１４：右側板、１５：背板、１６：棚板、１７：扉、１９：引出し、２１：枠板、３１：下板、３１ａ：ネジ軸、３１ｂ：ネジ孔、３２：上板、３２ａ：ネジ穴、３３：支持柱、３５：粘着マット、４１：ネジ軸、４１ａ：雄ネジ部、４２：操作部、４３：支持筒体、４３ａ：雌ネジ部、４３ｂ：穴部、４５：クッションスペーサ、４５ａ：スリット、４７：固定ナット、４７ａ：雌ネジ部、４７ｂ：収容空間、４９：樹脂ワッシャ、５１：背面ストッパ、５１ａ：長穴、５３：固定ネジ
Ａ：収納物、Ｂ：載置物、Ｘ：幅方向、Ｙ：奥行き方向、Ｙ１：水平方向前方、Ｙ２：水平方向後方、Ｚ：垂直方向、Ｓ：隙間、Ｈ１：高さ、Ｈ２：高さ、Ｈ０：突っ張り高さ、Ｔ：隙間、Ｆ：力
【図１】
0005572189.tif 000002
【図２】
0005572189.tif 000003
【図３】
0005572189.tif 000004
【図４】
0005572189.tif 000005
【図５】
0005572189.tif 000006
【図６】
0005572189.tif 000007
【図７】
0005572189.tif 000008